(57)【要約】  【課題】リンク44を簡単に取り付けることができ、取付作業性を向上できる自動販売機の商品収納装置を提供する。  【解決手段】コラムの両側の側板間に、一側の側板との間に商品を収納する可動板29を配置する。可動板29には、連結体38を上下方向にスライド可能に取り付ける。連結体38と他側の側板との上下方向の２箇所をリンク44で回動可能に連結する。連結体38の幅方向の両側にフランジ部40を突設する。リンク44には、リンク44の幅方向の一方向へ向けてそれぞれ同軸上に突出して軸部49を設ける。リンク44を幅方向の一方向へ移動させ、リンク44の幅方向の一方向へ向けてそれぞれ同軸上に突出する各軸部49を各フランジ部40の連結孔41に挿入する。リンク44を取付姿勢から組立姿勢へ回動させることにより、抜け止め部50で各軸部49を各フランジ部40から抜け止めする。  【選択図】図１
2006190124.tif 000002
【特許請求の範囲】
【請求項１】
対向する両側の側板を有し、商品を収納するコラムと、
このコラム内で両側板の対向方向に移動可能に配置され、一側の側板との間に商品を収納する可動板と、
この可動板に上下方向にスライド可能に取り付けられた連結体と、
この連結体と他側の側板との上下方向の複数箇所に回動可能に連結された複数のリンクとを具備し、
前記連結体および他側の側板の少なくとも一方には、可動板の幅方向に対応して複数のフランジ部が突設されるとともにこれら各フランジ部に連結孔が形成され、
前記リンクには、このリンクの幅方向の一方向へ向けてそれぞれ同軸上に突出して前記フランジ部に対するリンクの所定の取付姿勢で各フランジ部の連結孔に挿入される複数の軸部が設けられるとともに、フランジ部に対するリンクの取付姿勢から組立姿勢への回動によって各軸部を各フランジ部から抜け止めする抜け止め部が設けられた
ことを特徴とする自動販売機の商品収納装置。
【請求項２】
リンクの各軸部は、リンクの端部から略Ｌ字形に突設され、リンクの幅方向に並設されている
ことを特徴とする請求項１記載の自動販売機の商品収納装置。
【請求項３】
リンクの抜け止め部は、フランジ部に対するリンクの取付姿勢から組立姿勢への回動によってフランジ部が嵌まり込む溝部である
ことを特徴とする請求項１または２記載の自動販売機の商品収納装置。
【発明の詳細な説明】
【技術分野】
【０００１】
本発明は、商品を収納するコラムの横幅を商品寸法に応じて可変できるようにした自動販売機の商品収納装置に関する。
【背景技術】
【０００２】
従来、例えば缶入り飲料やビン入り飲料あるいはペットボトル入り飲料などの商品を販売する自動販売機の商品収納装置では、商品を収納するコラム、および商品販売時にコラムの下部から商品を排出する商品排出機構を備えている。
【０００３】
コラムには左右方向に対向した側板とこれら側板間で前後方向に対向したコラムレールとで商品収納通路が形成され、この商品収納部には商品の長手方向を両側板の対向する左右方向に向けた横向き姿勢で上下方向に収納される。
【０００４】
コラム内には、一側の側板との間に商品を収納し、その収納する商品の寸法に応じて商品収納通路の横幅を調整するための可動板が配置されている。この可動板には上下方向にスライド可能に連結体が取り付けられ、この連結体の上下方向の２箇所と他側の側板の上下方向の２箇所とが上下２つのリンクによって連結されて平行リンク構造とされ、可動板がコラム内を左右方向に平行移動可能とされている。
【０００５】
従来の可動板の連結体とリンクとの取付構造では、連結体に他側の側板へ向けて可動板から突出するフランジ部が可動板の幅方向に２つ突設されるとともにこれら各フランジ部に連結孔が形成されており、この連結体の両側のフランジ部にリンクの端部を合わせて割りピンを差し込んで抜け止めすることにより、連結体とリンクとを回動可能に連結している。しかし、割りピンを用いるため、部品点数が増加し、取付作業にも手間がかかる問題がある。
【０００６】
そこで、割りピンを用いない取付構造として、リンクの幅方向の両側縁から両側方へ向けてそれぞれ軸部を突設し、そして、取付時において、可動板に対してリンクが垂直となる所定の取付姿勢とし、一側へ突出する軸部を両側のフランジ部間から一側のフランジ部の取付孔に挿入してその一方向へ寄せ、その後、他側へ突出する軸部を両側のフランジ部間から他側のフランジ部の取付孔に挿入してその他方向へ寄せ、リンクを取付姿勢から組立姿勢に回動させてリンクの一側縁を一側のフランジ部の内側に係合させて抜け止めすることにより、連結体とリンクとを回動可能に連結している（例えば、特許文献１参照。）。
【特許文献１】特開２００３−２２３６７６号公報（第３頁、図４）
【発明の開示】
【発明が解決しようとする課題】
【０００７】
しかしながら、従来の割りピンを用いない取付構造では、リンクを幅方向の一側と他側とにそれぞれ移動させて、一側の軸部と他側の軸部とをそれぞれ連結体の一側のフランジ部と他側のフランジ部とに挿入して取り付けなければならず、取付作業に手間がかかる問題がある。
【０００８】
本発明は、このような点に鑑みなされたもので、リンクを簡単に取り付けることができ、取付作業性を向上できる自動販売機の商品収納装置を提供することを目的とする。
【課題を解決するための手段】
【０００９】
請求項１記載の自動販売機の商品収納装置は、対向する両側の側板を有し、商品を収納するコラムと、このコラム内で両側板の対向方向に移動可能に配置され、一側の側板との間に商品を収納する可動板と、この可動板に上下方向にスライド可能に取り付けられた連結体と、この連結体と他側の側板との上下方向の複数箇所に回動可能に連結された複数のリンクとを具備し、前記連結体および他側の側板の少なくとも一方には、可動板の幅方向に対応して複数のフランジ部が突設されるとともにこれら各フランジ部に連結孔が形成され、前記リンクには、このリンクの幅方向の一方向へ向けてそれぞれ同軸上に突出して前記フランジ部に対するリンクの所定の取付姿勢で各フランジ部の連結孔に挿入される複数の軸部が設けられるとともに、フランジ部に対するリンクの取付姿勢から組立姿勢への回動によって各軸部を各フランジ部から抜け止めする抜け止め部が設けられたものである。
【００１０】
そして、リンクを幅方向の一方向へ移動させ、リンクの幅方向の一方向へ向けてそれぞれ同軸上に突出する各軸部を各フランジ部の連結孔に挿入するので、この後はリンクを取付姿勢から組立姿勢へ回動させて各軸部を各フランジ部から抜け止めさせるだけで済み、リンクを可動板の連結体や他側の側板に簡単に取り付けることが可能となり、取付作業性が向上する。
【００１１】
請求項２記載の自動販売機の商品収納装置は、請求項１記載の自動販売機の商品収納装置において、リンクの各軸部は、リンクの端部から略Ｌ字形に突設され、リンクの幅方向に並設されているものである。
【００１２】
そして、リンクの各軸部がリンクの端部から略Ｌ字形に突設していてリンクの幅方向に並設しているので、各軸部を各フランジ部の連結孔に挿入しやすくなる。
【００１３】
請求項３記載の自動販売機の商品収納装置は、請求項１または２記載の自動販売機の商品収納装置において、リンクの抜け止め部は、フランジ部に対するリンクの取付姿勢から組立姿勢への回動によってフランジ部が嵌まり込む溝部であるものである。
【００１４】
そして、リンクの取付姿勢から組立姿勢への回動によってフランジ部がリンクの溝部に嵌まり込むので、軸部の抜け止めだけでなくリンクの幅方向の位置も規制可能となる。
【発明の効果】
【００１５】
請求項１記載の自動販売機の商品収納装置によれば、リンクを幅方向の一方向へ移動させるだけで、リンクの幅方向の一方向へ向けてそれぞれ同軸上に突出する各軸部を各フランジ部の連結孔に挿入できるので、この後はリンクを取付姿勢から組立姿勢へ回動させて各軸部を各フランジ部から抜け止めさせるだけで済み、リンクを可動板の連結体や他側の側板に簡単に取り付けることができ、取付作業性を向上できる。
【００１６】
請求項２記載の自動販売機の商品収納装置によれば、請求項１記載の自動販売機の商品収納装置の効果に加えて、リンクの各軸部がリンクの端部から略Ｌ字形に突設していてリンクの幅方向に並設しているので、各フランジ部の連結孔に挿入しやすくできる。
【００１７】
請求項３記載の自動販売機の商品収納装置によれば、請求項１または２記載の自動販売機の商品収納装置の効果に加えて、リンクの取付姿勢から組立姿勢への回動によってフランジ部がリンクの溝部に嵌まり込むので、軸部の抜け止めだけでなくリンクの幅方向の位置も規制できる。
【発明を実施するための最良の形態】
【００１８】
以下、本発明の一実施の形態を図面を参照して説明する。
【００１９】
図８に示すように、例えば缶入り飲料やビン入り飲料あるいはペットボルト飲料などの商品を販売する自動販売機11は、機体12として前面を開口した販売機本体13およびこの販売機本体13の前面に開閉可能に設けられた扉体14を有し、さらに、販売機本体13と扉体14との間に配置されて販売機本体13の前面を断熱する断熱材が組み込まれた内扉15およびローディング扉16をそれぞれ有している。
【００２０】
扉体14の上部側には商品見本展示部や操作部などが配設され、扉体14の下部側には商品を取り出す取出口17が配設されている。
【００２１】
販売機本体13は、前面を開口する箱形で、各壁面に断熱材が組み込まれており、内部には複数の仕切断熱パネル18によって複数の収納庫19が仕切られて形成され、各収納庫19には複数の商品を収納する商品収納装置のコラム20が前後方向に複数列配設されているとともに左右の収納庫19には販売機本体13の左右方向にも複数列配設されている。コラム20の上部には各コラム20に商品を投入する各コラム20毎の投入口21が形成され、各コラム20の下部にはコラム20内の商品を支えるとともに商品を１つずつ下方へ排出する商品排出機構22が配設されている。各収納庫19の下部には各コラム20から排出された商品を前方の取出口17へ案内するシュート23が配設されている。なお、内扉15にはシュート23で案内される商品を扉体14の取出口17に送り出す図示しない挿通口が形成されている。
【００２２】
また、図６および図７に示すように、各コラム20は、商品を収納する商品収納通路26を有し、自動販売機11の前後方向に対応した商品収納通路26の通路幅方向である前後方向の両側がコラムレール体27a，27bによって構成され、これらコラムレール体27a，27bと交差する自動販売機11の左右方向に対応した商品収納通路26の横幅方向である左右方向の両側が側板28a，28bによって構成されており、両側の側板28a，28bは前後の２列のコラム20に共通になっている。コラム20には、例えば缶入り飲料などの円筒状の商品が、その周面を両側のコラムレール体27a，27bに対向させるとともにその長手方向の端面を両側の側板28a，28bに対向させた横向姿勢で収納される。
【００２３】
両側の側板28a，28b間には、一側の側板28aとの間に商品を収納する可動板29が左右幅方向の所定の移動範囲内で移動可能に設けられており、この可動板29の位置が商品の長手方向の寸法に応じて調整設定される。
【００２４】
両側のコラムレール体27a，27bは、商品収納通路26に臨んで凹曲面30に形成された複数のコラムレール31を有し、これらコラムレール31が商品収納通路26の両側で上下方向に略半ピッチずつずらして連続的に配置され、蛇行した商品収納通路26を形成している。各コラムレール31の下部側には、商品収納通路26内に投入された商品を横向姿勢のまま落下させる姿勢制御板32が配置されている。各姿勢制御板32は、可動板29の移動範囲より一側の側板28a寄りの領域つまり可動板29と干渉しない領域で商品収納通路26内に突出され、上下方向に揺動可能でかつ商品収納通路26内に突出する方向にばね付勢されている。
【００２５】
可動板29は、コラム20のコラムレール体27a，27b間を左右方向に移動可能な幅寸法で上下方向に長い形状に形成されており、図１ないし図３に示すように、可動板29の幅方向（前後方向）の中央部には他側の側板28bに対向する面側に突出する横断面略コ字形の凸状部33が上下方向に沿って突出形成されているとともに、この凸状部33によって一側の側板28aに対向する面側には凹溝部34が上下方向に沿って形成されている。凸状部33の上下２箇所には、幅方向の両側にスリット状の挿通溝部35が上下方向に形成されている。なお、図７に示すように、可動板29の上部は投入口21に配置されている。
【００２６】
図１ないし図３に示すように、可動板29の凹溝部34には、横断面略コ字形で上下方向に細長い連結体38が上下方向にスライド可能に係合されている。この連結体38の上下２箇所には、幅方向の両側縁部から可動板29の各挿通溝部35を挿通して突出される両側の取付片39および両側のフランジ部40がそれぞれ形成されている。各取付片39は各挿通溝部35の外側の縁部側に向けて略直角に折り曲げられ、可動板29に対して連結体38を上下方向にスライド可能に保持している。各フランジ部40には、円形の連結孔41が可動板29の幅方向に対応して同軸上に形成されている。
【００２７】
また、図６に示すように、連結体38と他側の側板28bとの上下方向の２箇所には上下のリンク44が回動可能に連結され、これら連結体38およびリンク44などによって可動板29を左右方向に平行移動させる平行リンク機構が構成されている。
【００２８】
各リンク44は、細長い板状のリンク板45を有し、このリンク板45の一端に連結体38に回動可能に取り付けられる連結体取付部46が設けられ、他端に他側の側板28bに回動可能に取り付けられる側板取付部47が形成されている。
【００２９】
図１ないし図３に示すように、連結体取付部46は、リンク板45の端部に幅方向に並んで略Ｌ字形に突設された突出部48が設けられ、これら各突出部48の先端に幅方向の一方向へ向けてそれぞれ同軸上に突出する軸部49が形成されている。リンク板45の先端縁とこの先端縁に対向する一方の軸部49との間隔は、フランジ部40の連結孔41の内縁からフランジ部40の先端辺部までの距離より少し広く、フランジ部40の連結孔41の内縁からフランジ部40の先端側角部までの距離より小さく形成されている。そのため、各軸部49は、可動板29に対してリンク44が略垂直となる所定の取付姿勢で可動板29から突出する各フランジ部40の連結孔41に挿入可能としている。
【００３０】
一方の軸部49の基端側でリンク板45の先端縁には、フランジ部40に対するリンク44の取付姿勢から組立姿勢への回動によって各軸部49を各フランジ部40から抜け止めする抜け止め部50が形成されている。この抜け止め部50は、フランジ部40に対するリンク44の取付姿勢から組立姿勢への回動によってフランジ部40が嵌まり込む溝部51で構成されている。なお、リンク44の組立姿勢とは、図６に示すように、コラム20の組立状態で、一端の連結体取付部46が上方に位置し、他端の側板取付部47が下方に位置し、可動板29がコラム20の内方に移動して斜めになっている状態、または可動板29が他側の側板28b側に折り畳まれて鉛直方向に立ち上がっている状態をいう。
【００３１】
また、図４および図５に示すように、側板取付部47は、リンク板45の両側方へ向けて突出する軸部54a，54bを有し、一方の軸部54aに対して他方の軸部54bの突出寸法が大きく、この他方の軸部54bが突出するリンク板45の縁部にはリンク板45の幅を狭くする切欠部55が形成されている。
【００３２】
また、他方の側板28bには、各リンク44の位置に対応して可動板29を他方の側板28bに折り畳んだときに各リンク44が侵入可能とする上下方向に長い開口部58が形成され、この開口部58の幅方向の両側縁部にはコラム20の外側へ向けて折り曲げられたフランジ部59a，59bが形成されている。一方のフランジ部59aにはリンク44の一方の軸部54aが挿入される円形の連結孔60が形成され、他方のフランジ部59bには他方のフランジ部59bの下端に連通開口してリンク44の他方の軸部54bが挿入される連結溝61が形成されている。この側板28bの他方のフランジ部59bの連結溝61に臨む位置には、この側板28bから切り起こされた係止部62が設けられている。この係止部62により、他方の軸部54bの先端位置を規制し、一方の軸部54aを一方のフランジ部59aの連結孔60から抜け止めする。
【００３３】
また、商品排出機構22は、商品収納通路26の一側で２列のコラム20間に配置された本体部71を有し、この本体部71から最下位の商品を係止する下ラッチ72および最下位から２番目の商品を係止する上ラッチ73が進退可能に設けられ、待機時には、下ラッチ72が商品収納通路26内に突出して最下位の商品を係止するとともに上ラッチ73が商品収納通路26の外側に退避した位置にあり、商品販売時には、図示しないソレノイドの駆動により、上ラッチ73が商品収納通路26内に突出して２番目の商品を係止するとともに下ラッチ72が商品収納通路26の下方へ回動して最下位の商品を排出する。上ラッチ73の上側には商品の売切れを検知する検知レバー74が配置されている。
【００３４】
商品排出機構22の本体部71に対向する商品収納通路26の他側には、商品の径寸法に応じて通路幅を調整可能とする排出ガイド75が配設されている。
【００３５】
次に、本実施の形態の作用を説明する。
【００３６】
コラム20に商品を投入する商品投入時には、図７において、横向姿勢とした商品を一側の側板28aと可動板29との間から投入口21に投入する。投入した商品はコラムレール31の凹曲面30に沿って落下してこのコラムレール31の凹曲面30の下部で姿勢制御板32に当接し、この姿勢制御板32がばね付勢に抗して下側に斜めに回動しながら商品を反対側のコラムレール31へ案内し、同様に、商品が反対側のコラムレール31の凹曲面30に沿って落下してこのコラムレール31の凹曲面30の下部で姿勢制御板32上に当接し、この姿勢制御板32がばね付勢に抗して下側に斜めに回動しながら商品をさらに反対側のコラムレール31へ案内するというように、商品が蛇行しながら落下し、商品排出機構22の下ラッチ72上に係止する。そのため、商品の落下速度を減速させ、商品排出機構22に加わる商品の落下衝撃を緩和できるとともに、商品の落下姿勢が斜めになったり立ったりすることなく横向姿勢に制御できる。
【００３７】
次に、可動板29の取付方法について説明する。
【００３８】
リンク44の連結体取付部46を連結体38に取り付けるには、まず、図１および図２に示すように、リンク44を可動板29に対してリンク44が略垂直となる所定の取付姿勢で可動板29から突出する各フランジ部40の連結孔41に挿入する。このとき、リンク44を幅方向の一方向へ移動させるだけで、リンク44の幅方向の一方向へ向けてそれぞれ同軸上に突出する各軸部49を各フランジ部40の連結孔41に挿入できる。
【００３９】
続いて、図３に示すように、リンク44を取付姿勢から組立姿勢への回動させることにより、リンク44の溝部51に一方のフランジ部40が嵌まり込み、各軸部49を各フランジ部40から抜け止めするとともに、連結体38に対するリンク44の幅方向の位置も規制する。
【００４０】
このように、リンク44を幅方向の一方向へ移動させるだけで、リンク44の幅方向の一方向へ向けてそれぞれ同軸上に突出する各軸部49を各フランジ部40の連結孔41に挿入できるので、この後はリンク44を取付姿勢から組立姿勢へ回動させて各軸部49を各フランジ部40から抜け止めさせるだけで済み、リンク44を可動板29の連結体38や他側の側板28bに簡単に取り付けることができ、取付作業性を向上できる。
【００４１】
さらに、リンク44の各軸部49がリンク44の端部から略Ｌ字形に突設していてリンク44の幅方向に並設しているので、各フランジ部40の連結孔41に挿入しやすくできる。
【００４２】
しかも、リンク44の取付姿勢から組立姿勢への回動によってフランジ部40がリンク44の溝部51に嵌まり込むので、軸部49の抜け止めだけでなくリンク44の幅方向の位置も規制できる。
【００４３】
また、リンク44の側板取付部47を他側の側板28aに取り付けるには、図４および図５において、リンク44の一方の軸部54aが一側のフランジ部59aの内側に入るように、切欠部55によってリンク44を他方のフランジ部59b側に寄せるとともに、他方の軸部54bを他方のフランジ部59bの連結溝61の先端から挿入し、一方の軸部54aを一側のフランジ部59aの連結孔60に挿入し、リンク44を一方のフランジ部59a側に寄せる。そして、係止部62を起こし、他方の軸部54bの先端位置を規制し、一方の軸部54aを一方のフランジ部59aの連結孔60から抜け止めする。
【００４４】
なお、リンク44の側板取付部47においても、割りピンを用いる場合に比べて、部品点数を削減でき、取付作業性も向上するが、連結体取付部46と同じ構造を採用すれば、より取付作業性を向上できる。
【図面の簡単な説明】
【００４５】
【図１】本発明の自動販売機の商品収納装置の一実施の形態を示し、可動板の連結体とリンクとの取付構造の斜視図である。
【図２】同上図１に続く取付手順を示す斜視図である。
【図３】同上図２に続く取付手順を示す斜視図である。
【図４】同上商品収納装置の可動板を他側の側板側に寄せた状態でコラムの他側の側板の外側から見た斜視図である。
【図５】同上商品収納装置の可動板を一側の側板へ向けて移動させた状態でコラムの他側の側板の外側から見た斜視図である。
【図６】同上商品収納装置のコラムの概略正面図である。
【図７】同上商品収納装置のコラムの側面図である。
【図８】同上自動販売機の斜視図である。
【符号の説明】
【００４６】
11    自動販売機
20    コラム
28a，28b    側板
29    可動板
38    連結体
40    フランジ部
41    連結孔
44    リンク
49    軸部
50    抜け止め部
51    溝部
【図１】
2006190124.tif 000003
【図２】
2006190124.tif 000004
【図３】
2006190124.tif 000005
【図４】
2006190124.tif 000006
【図５】
2006190124.tif 000007
【図６】
2006190124.tif 000008
【図７】
2006190124.tif 000009
【図８】
2006190124.tif 000010